(57)【要約】フィルム素材をレンズに貼り着ける際、レンズが多種多様な形状を有する場合であっても、レンズの変形を有効に抑制することができ、その際、レンズの変形を抑制するための受け治具などを形状の異なるレンズごとに用意する必要のない加飾レンズの製造方法の提供を目的とする。第一区画室３１と第二区画室３２とをフィルム素材１３によって気密に区画し、第二区画室３２と第三区画室３３とを弾性膜体４によって気密に区画し、第一区画室３１内の圧力を第二区画室３２内の圧力よりも高くして、フィルム素材１３を第二区画室３２内に設置されたレンズ１１に貼り着けるに際し、第三区画室３３内の圧力を第二区画室３２内の圧力よりも高くして、弾性膜体４によってレンズ１１を支持する。
2014162336.tif 000002
【特許請求の範囲】
【請求項１】
貼着材としてのフィルム素材をレンズに貼り着けてなる加飾レンズの製造方法であって、
隣設された第一区画室と第二区画室とを前記フィルム素材によって気密に区画し、
隣設された前記第二区画室と第三区画室とを弾性膜体によって気密に区画し、
前記第一区画室内の圧力を前記第二区画室内の圧力よりも高くして、前記フィルム素材を前記第二区画室内に設置された前記レンズに貼り着けるに際し、前記第三区画室内の圧力を前記第二区画室内の圧力よりも高くして、前記弾性膜体によって前記レンズを支持することを特徴とする加飾レンズの製造方法。
【請求項２】
前記フィルム素材を前記レンズに貼り着けるに際し、前記第一区画室内の圧力と前記第三区画室内の圧力とを同等とする請求項１に記載の加飾レンズの製造方法。
【請求項３】
前記第一区画室と前記第三区画室とが連通している請求項１〜２のいずれか一項に記載の加飾レンズの製造方法。
【請求項４】
前記フィルム素材が、接着剤又は粘着剤によって、前記レンズに接着される請求項１〜３のいずれか一項に記載の加飾レンズの製造方法。
【請求項５】
前記レンズは、前記フィルム素材を貼り着ける面とは反対側の面が凹面とされたレンズであり、前記凹面を前記弾性膜体に対向させて、前記レンズを前記第二区画室内に設置する請求項１〜４のいずれか一項に記載の加飾レンズの製造方法。
【発明の詳細な説明】
【技術分野】
【０００１】
本発明は、加飾レンズの製造方法に関する。
【背景技術】
【０００２】
従来、眼鏡用のレンズとして、偏光機能、調光機能、反射防止機能などの様々な機能を有するフィルム素材の貼り着けられた加飾レンズ（機能性レンズとも呼ばれる。）が広く普及している。【０００３】
例えば、特許文献１には、プラスチック製のレンズと、上記レンズの表面に形成された偏光フィルムとを有する偏光レンズが開示されている。また、この特許文献１には、真空成形、圧空成形、プレス成形などにより、レンズ面の曲率に合わせて曲げ加工を施した偏光フィルムをレンズに貼り合わせる方法が開示されている。そして、特許文献１によれば、このような方法において、偏光フィルムを貼り合わせるレンズ自体を、偏光フィルムの曲げ加工における型として用いて、フィルム，レンズに接着剤などを塗布した後で加工を行うことによって、曲げ加工と貼り合わせとを一括して同時に行うことができるとしている。【０００４】
一方、表面加飾や機能付与などの目的で、真空成形を利用して合成樹脂シートやフィルムなどを各種の基材上に貼り着ける技術が従前より知られている。
例えば、特許文献２には、合成樹脂シートと被積層体とを対向して真空容器内に設置し、大気圧と真空圧との圧力差によって、加熱された合成樹脂シートを被積層体に積層する積層体の製造方法が開示されている。【０００５】
また、特許文献３には、２以上の成型室間で被成型物の真空成型を行なう真空成型装置であって、加熱軟化せしめられた被成型物の変形量に応じ、予め設定した一定容量の気体が必要な成型室に吸引されるようにし、被成型物の変形を成型室間の差圧により補正する真空成型装置が開示されている。【０００６】
また、特許文献４には、減圧雰囲気中に置いたときに、切断したフィルムの中央部が下方に膨らむようにして該切断したフィルムを基板上方に配置した後減圧雰囲気とし、次いで、該中央部から外方に向かいフィルムを基板に押し付けることを特徴とするフィルム貼付け方法が開示されている。【０００７】
また、特許文献５には、チャンバーボックス内を減圧状態とする際には中空芯材の内部も減圧状態とし、チャンバーボックス内を加圧する際には中空芯材の内部も加圧する連通孔が中空芯材に設けられていることを特徴とする中空芯材の減圧被覆方法が開示されている。
【先行技術文献】
【特許文献】
【０００８】
【特許文献１】特開平９−２５８００９号公報
【特許文献２】特公昭５６−４５７６８号公報
【特許文献３】特開２００２−６７１３７号公報
【特許文献４】特開２００３−３００２５５号公報
【特許文献５】特開２００６−７４２２号公報
【発明の概要】
【発明が解決しようとする課題】
【０００９】
ここで、本発明を完成するに先立って本発明者が検討した、表面に偏光フィルムなどのフィルム素材が貼着された加飾レンズの製造方法についての検討例を、図面を参照しながら説明する。【００１０】
［検討例］
図６は、本検討例を説明するための説明図であり、本検討例は、フィルム貼着装置１０１を利用して実施される。【００１１】
図６に示すフィルム貼着装置１０１は、気密性を有する容器１０２を備えており、この容器１０２は、容器本体１２１及び蓋２２を有している。容器本体１２１は、側板に配管３１１が接続されており、また、底板の中央領域を気密に囲うように仕切り壁２１２が立設されており、この仕切り壁２１２には配管３２１が接続されている。また、配管３１１、３２１は、図示してないが、弁などを介して差圧発生手段（真空発生手段など）と接続されている。また、蓋２２は、偏光フィルムなどのフィルム素材１３を軟化させるためのヒータ２２１、及び、フィルム素材１３を保持するための保持部材２２２を有している。【００１２】
上記のフィルム貼着装置１０１を用いた本検討例においては、例えば、図７のフローチャートに示す各ステップ（Ｓ１０１〜Ｓ１０６）が順に行われる。
Ｓ１０１において、レンズ１１及びフィルム素材１３がセットされる。具体的には、まず、蓋２２を開けて、レンズ１１を容器本体１２１の底板中央に設置する。次に、フィルム素材１３を仕切り壁２１２の上面に載置し、続いて、蓋２２を閉じる（図６（ａ）参照）。これにより、隣設された第一区画室３１と第二区画室３２とが、フィルム素材１３によって気密に区画される。
レンズ１１は、通常、フィルム素材１３を貼り着ける面とは反対側の面が凹面１２となっているが、第一区画室３１内の圧力と第二区画室３２内の圧力が等しいとき、変形することはない。【００１３】
Ｓ１０２において、第一区画室３１及び第二区画室３２を真空引きし、真空状態を保持する。【００１４】
Ｓ１０３において、フィルム素材１３を加熱する。具体的には、ヒータ２２１がＯＮされ、フィルム素材１３は、真空状態で加熱され軟化する。【００１５】
Ｓ１０４において、第一区画室３１内の圧力を上昇させ、第一区画室３１内の圧力を第二区画室３２内の圧力より高くする。これによって、軟化したフィルム素材１３は、膨れながらレンズ１１の表面に貼着される。
この際、図６（ｂ）に示すように、第一区画室３１内の圧力を第二区画室３２内の圧力より高くすると、第一区画室３１内の圧力と第二区画室３２内の圧力との圧力差によって膨れたフィルム素材１３が、レンズ１１を押圧し、レンズ１１が押しつぶされるように弾性変形し、弾性変形したレンズ１１の表面にフィルム素材１３が貼着される場合がある。【００１６】
Ｓ１０５において、第一区画室３１及び第二区画室３２内の圧力を大気圧に戻し、ヒータ２２１がＯＦＦされる。
この際、図６（ｃ）に示すように、第一区画室３１及び第二区画室３２内の圧力を大気圧に戻すと、レンズ１１が弾性変形する前の形状に復元するが、フィルム素材１３は、弾性変形した状態のレンズ１１に合わせて、既に形状が形成されており、上記の復元に追従できずに、レンズ１１の外周部において、フィルム素材１３が剥離し、貼着不良が発生する場合がある。【００１７】
Ｓ１０６において、フィルム素材１３を冷却し、続いて、フィルム素材１３の貼着されたレンズ１１が容器１０２から取り出される。【００１８】
Ｓ１０５において、上記の貼着不良が発生する場合には、Ｓ１０１において、容器本体１２１の底板中央に、まず、レンズ１１の凹面１２とほぼ全面的に当接する凸面を有する受け治具（図示せず）を載置し、次に、この受け治具の上にレンズ１１を設置することが考えられる。このようにすると、受け治具は、その凸面がレンズ１１の凹面１２に当接しつつ、レンズ１１を凹面１２の側から支持するので、レンズ１１の変形（弾性変形及び塑性変形）を抑制することができ、貼着不良の発生を防止することができる。【００１９】
しかしながら、上記したような受け治具を利用してレンズの変形を抑制する方法は、同様の製品を大量に作製するには安価で容易な方法であるものの、少量生産、一品生産、及び特別注文生産などに対応することが要望されている眼鏡レンズの場合、レンズ度数が多種多様であるため、様々な凹面形状が用いられる。そして、様々な凹面形状に対応するためには、多種多様な受け治具を製作する必要があり、多大なコストを必要とするという問題がある。
また、生産機種を切り換える度に、レンズの凹面形状に対応する受け治具を保管場所から搬送してきて装置に取り付け、生産後には、装置から取り外し、再び保管場所に搬送する必要があり、これらの作業に多くの時間を要し、生産性及び経済性において不利であるという問題もある。【００２０】
そこで、本発明者らは、フィルム素材１３を貼着する際、フィルム素材１３によって気密に仕切られた第一区画室３１内の圧力と第二区画室３２内の圧力との圧力差によって、膨れたフィルム素材１３がレンズ１１を押圧し、レンズ１１が弾性変形していることに着目し、そのような圧力差を発生させてもレンズ１１が弾性変形しなければ、多種多様な受け治具を必要としなくなるという観点から鋭意検討を重ねたところ、本発明を完成するに至った。【００２１】
すなわち、本発明は、フィルム素材をレンズに貼り着けて加飾レンズを製造する際、レンズが多種多様な形状を有する場合であっても、レンズの変形を有効に抑制することができ、その際、レンズの変形を抑制するための受け治具などを形状の異なるレンズごとに用意する必要のない加飾レンズの製造方法の提供を目的とする。
【課題を解決するための手段】
【００２２】
本発明に係る加飾レンズの製造方法は、貼着材としてのフィルム素材をレンズに貼り着けてなる加飾レンズの製造方法であって、隣設された第一区画室と第二区画室とを前記フィルム素材によって気密に区画し、隣設された前記第二区画室と第三区画室とを弾性膜体によって気密に区画し、前記第一区画室内の圧力を前記第二区画室内の圧力よりも高くして、前記フィルム素材を前記第二区画室内に設置された前記レンズに貼り着けるに際し、前記第三区画室内の圧力を前記第二区画室内の圧力よりも高くして、前記弾性膜体によって前記レンズを支持する方法としてある。
【発明の効果】
【００２３】
本発明によれば、フィルム素材をレンズに貼り着ける際、レンズが多種多様な形状を有する場合であっても、レンズの変形を有効に抑制することができ、フィルム素材が良好に密着した状態の加飾レンズを製造することができる。
【図面の簡単な説明】
【００２４】
【図１】フィルム貼着装置の一例を示す説明図である。
【図２】本発明に係る加飾レンズの製造方法の実施形態における各ステップを示すフローチャートである。
【図３】図２の各ステップを説明する断面図である。
【図４】フィルム貼着装置の変形例を示す説明図である。
【図５】本発明に係る加飾レンズの製造方法の実施形態の変形例における各ステップを説明する断面図である。
【図６】検討例を説明するための説明図である。
【図７】検討例における各ステップを示すフローチャートである。
【発明を実施するための形態】
【００２５】
以下、本発明の実施形態について、図面を参照しながら説明する。
【００２６】
［フィルム貼着装置］
図１は、フィルム貼着装置の一例を示す説明図であり、本実施形態に係る加飾レンズの製造方法は、このようなフィルム貼着装置１を好適に利用して実施することができる。
【００２７】
図１に示すフィルム貼着装置１は、気密性を有する容器２を備えており、この容器２は、容器本体２１及び蓋２２を有している。また、容器２は、隣設された第一区画室３１と第二区画室３２とをフィルム素材１３によって気密に区画し、かつ、隣設された第二区画室３２と第三区画室３３とを弾性膜体４によって気密に区画する構造を有している。
【００２８】
具体的には、容器本体２１は、側板及び底板を有するほぼ箱状としてあり、側板の高さ方向の中ほどから下方寄りの位置に、中央に開口部が形成された仕切り板２１１が設けられている。そして、この仕切り板２１１の上面には、筒状の仕切り壁２１２が、開口部の内周縁から離れて立設されている。
仕切り板２１１には、その中央に形成された開口部を覆うように、内側縁部に弾性膜体４が固定されており、また、仕切り壁２１２には、その上面にフィルム素材１３が取り付けられている。そして、仕切り板２１１の開口部の周縁側と仕切り壁２１２に囲繞された第二区画室３２内には、弾性膜体４の上方に位置した状態でレンズ１１が設置されるようになっている。
【００２９】
また、容器本体２１は、側板の上部に、第一区画室３１に連通する配管３１１が接続されており、側板の下部には、第三区画室３３に連通する配管３３１が接続されている。また、仕切り壁２１２には、第二区画室３２に連通する配管３２１が接続されており、この配管３２１は、容器本体２１の側板を貫通した状態で、仕切り壁２１２に接続されている。これらの配管３１１、３２１、３３１は、図示してないが、弁などを介して差圧発生手段（真空発生手段など）と接続されている。これにより、第一区画室３１、第二区画室３２及び第三区画室３３内の圧力を制御することができる。
【００３０】
また、蓋２２は、フィルム素材１３を加熱し軟化させるためのヒータ２２１、及び、仕切り壁２１２の上面に載置されたフィルム素材１３を保持するための保持部材２２２を有している。この保持部材２２２は、蓋２２に連結された環状の平板としてあり、蓋２２の下面から垂下するアームに支持されている。そして、保持部材２２２は、フィルム素材１３を仕切り壁２１２の上面に載置した状態で、蓋２２が閉められると、フィルム素材１３の縁部を押圧して、フィルム素材１３を仕切り壁２１２の上面に保持する。
【００３１】
なお、容器２の構造は、第一区画室３１、第二区画室３２及び第三区画室３３を形成するとともに、フィルム素材１３及び弾性膜体４を保持できる構造であればよく、上記に限定されるものではない。例えば、仕切り板２１１及び仕切り壁２１２の代わりに、第一区画室３１、第二区画室３２及び第三区画室３３を形成できる様々な構造であってもよい。また、保持部材２２２は、仕切り壁２１２に係止されることによって、フィルム素材１３を保持する構造であってもよい。さらに、容器２内に複数のレンズ１１を設置できる構造であってもよい。
【００３２】
［弾性膜体］
弾性膜体４は、隣設された第二区画室３２と第三区画室３３とを気密に区画するとともに、第二区画室３２及び第三区画室３３内の圧力差によって弾性変形し、レンズ１１を支持する機能を有している。この弾性膜体４は、レンズ１１が異なる形状の凹面１２を有する場合であっても、その異なる形状に対応して弾性変形し、凹面１２のほぼ全面を下方から上方に押圧することによってレンズ１１を支持する。
【００３３】
本実施形態の弾性膜体４は、同心円状に弛みを有するほぼ円形状としてあり、仕切り板２１１の開口部を覆うように、仕切り板２１１の開口部付近に、固定部材４１によって固定されている。この固定部材４１は、環状の平板としてあり、固定部材４１と仕切り板２１１との間に弾性膜体４を挟むようにして、仕切り板２１１に取り付けられる。また、弾性膜体４の材質として、通常、クロロプレンゴム、エチレンプロピレンゴム、フッ素系樹脂などが挙げられる。
なお、弾性膜体４の形状は、上記の機能を実現できる形状であればよく、特に限定されるものではない。例えば、図示してないが、弾性膜体４は、部分的に厚みが異なる形状、又は、凹凸を有する形状であってもよい。
【００３４】
［加飾レンズ］
加飾レンズは、貼着材としてのフィルム素材１３をレンズ１１に貼り着けたものである。本実施形態のレンズ１１は、フィルム素材１３を貼り着ける面とは反対側の面が凹面１２とされる。このレンズ１１は、凹面１２側が弾性膜体４に対向するように、弾性膜体４を固定する固定部材４１上にレンズ１１の周縁部を載置させた状態で、第二区画室３２内に設置される。
【００３５】
また、フィルム素材１３として、加飾フィルムが用いられる。この加飾フィルムは、通常、合成樹脂フィルムであり、光分解又は光酸化に対する保護が設けられた機能、衝撃緩衝機能、耐擦過性機能、反射防止機能、偏光機能、カラーフィルタ機能、調光機能、帯電防止機能、汚染防止機能、及び、ピクセル又は微細構造によって適用された機能の中から選択された少なくとも一つの機能性を有する。
【００３６】
また、フィルム素材１３は、必要に応じて、接着剤又は粘着剤によって、レンズ１１に接着するようにしてもよい。
フィルム素材１３をレンズ１１に接着する接着剤又は粘着剤としては、レンズ１１の機能に影響を及ぼすものでなければ、特に限定されない。例えば、レンズ１１がプラスチックレンズである場合、レンズ表面を溶かすなどして、その光学的機能を損ねてしまうおそれのある有機溶剤を含まない、反応系、水分散系（ラテックス・エマルジョン系）、ホットメルト系、感圧系の接着剤又は粘着剤を用いるのが好ましく、アクリル樹脂系、エポキシ樹脂系、ウレタン樹脂系、エチレン-酢酸ビニル樹脂系、シアノアクリレート系、塩化ビニル樹脂系、スチレン-ブタジエンゴム系、クロロプレンゴム系などの接着剤又は粘着剤を用いることができる。
【００３７】
［加飾レンズの製造方法］
以上のようなフィルム貼着装置１を用いた、本実施形態に係る加飾レンズの製造方法においては、例えば、図２のフローチャートに示す各ステップ（Ｓ１〜Ｓ６）が順に行われる。また、図３は、図２の各ステップを説明する断面図である。
【００３８】
Ｓ１において、レンズ１１及びフィルム素材１３がセットされる。具体的には、まず、蓋２２を開けて、固定部材４１上にレンズ１１の周縁部を載置することによって、レンズ１１を容器本体２１の第二区画室３２内に設置する。次に、フィルム素材１３を仕切り壁２１２の上面に載置し、続いて、蓋２２を閉じる（図３（ａ）参照）。これにより、隣設された第一区画室３１と第二区画室３２とが、仕切り壁２１２の上面に保持されたフィルム素材１３によって気密に区画される。
なお、隣設された第二区画室３２と第三区画室３３とは、上述したように、弾性膜体４によって予め気密に区画されている。また、第一区画室３１、第二区画室３２及び第三区画室３３は、各配管３１１、３２１、３３１を介して大気と連通しており、内部の圧力は、大気圧である。
【００３９】
Ｓ２において、第一区画室３１、第二区画室３２及び第三区画室３３は、差圧発生手段（図示せず）によって各配管３１１、３２１、３３１から排気され、真空引きされる（図３（ｂ）参照）。
なお、第一区画室３１、第二区画室３２及び第三区画室３３は、ほぼ同時に、かつ、ほぼ同じ圧力に真空引きされる。
【００４０】
Ｓ３において、フィルム素材１３を加熱する（図３（ｃ）参照）。具体的には、ヒータ２２１がＯＮされ、フィルム素材１３は、真空状態で加熱され軟化する。図３において、硬化したフィルム素材１３を太線で示し、軟化したフィルム素材１３を白抜きされた太線で示してある。
なお、フィルム素材１３の種類などによっては、常温において、第一区画室３１内の圧力と第二区画室３２内の圧力との圧力差によって膨れるように変形するものもある。このようなフィルム素材１３に対しては、ヒータ２２１を使用しない場合もある。
【００４１】
Ｓ４において、第一区画室３１及び第三区画室３３は、大気開放などによって各配管３１１、３３１から給気され、内部の圧力をほぼ同時に、かつ、ほぼ同じ圧力に上昇させる（図３（ｄ）参照）。この際、第一区画室３１内の圧力を第二区画室３２内の圧力より高くすることによって、軟化したフィルム素材１３が、膨れながら第二区画室３２に設置されたレンズ１１の表面に貼着される。また、第三区画室３３内の圧力を第二区画室３２内の圧力よりも高くすることによって、弾性変形した弾性膜体４が、レンズ１１の凹面１２と接触し押圧することによって、レンズ１１を支持する。
【００４２】
このようにすると、フィルム素材１３をレンズ１１に貼り着ける際、レンズ１１は、上方からフィルム素材１３によって押圧され、かつ、下方から弾性膜体４によって押圧されることになる。このとき、これらの押圧力が互いにほぼ相殺されるので、レンズ１１の変形（弾性変形及び塑性変形）を抑制することができ、フィルム素材１３が密着した状態のレンズ１１を製造することができる。
【００４３】
また、レンズ１１が多種多様な形状を有する場合であっても、弾性膜体４が各レンズ１１の形状に応じて弾性変形するので、多種多様な形状のレンズ１１の変形を有効に抑制することができ、フィルム素材１３が良好に密着した状態のレンズ１１を製造することができる。
したがって、上述した検討例のように、多種多様な形状の受け治具を製作する必要がなくなり、そのための手間やコストも不要となる。さらに、生産機種を切り換える度に、受け治具をセットし直す必要もないので、機種の切り換え作業に要する時間を大幅に短縮することができ、経済性及び生産性を向上させることができる。
【００４４】
なお、本実施形態では、第一区画室３１及び第三区画室３３内の圧力を、ほぼ大気圧まで上昇させるが、これに限定されるものではない。第一区画室３１内の圧力は第二区画室３２内の圧力より高ければよく、例えば、第一区画室３１内の圧力は大気圧より低くても、大気圧より高くてもよい。
また、フィルム素材１３をレンズ１１に貼り着けるに際し、上昇させる第一区画室３１及び第三区画室３３内の圧力を等しくするのが好ましい。このようにすると、フィルム素材１３によるレンズ１１への押圧力と弾性膜体４によるレンズ１１への押圧力とがより高いレベルで相殺されるので、レンズ１１の変形をより有効に抑制することができる。
【００４５】
Ｓ５において、第一区画室３１、第二区画室３２及び第三区画室３３内の圧力を、大気開放によって大気圧に戻し、ヒータ２２１がＯＦＦされる（図３（ｅ）参照）。
【００４６】
Ｓ６において、フィルム素材１３を冷却して硬化させ（図３（ｆ）参照）、続いて、フィルム素材１３の貼着されたレンズ１１が、容器２から取り出される。
【００４７】
以上説明したように、本実施形態にあっては、フィルム素材１３をレンズ１１に貼り着ける際、レンズ１１が多種多様な形状を有する場合であっても、弾性膜体４がレンズ１１の様々な形状に自在に対応し、レンズ１１の変形を有効に抑制するので、フィルム素材１３が良好に密着した状態のレンズ１１を製造することができる。したがって、多種多様な形状の受け治具を製作する必要がなく、さらに、受け治具をセットするなどの機種の切り換え作業に要する時間を大幅に短縮することができ、経済性及び生産性を大幅に向上させることができる。
【００４８】
また、本実施形態は、様々な変形実施が可能であり、次に、本実施形態の変形例について、図面を参照して説明する。
【００４９】
［変形例］
図４は、フィルム貼着装置の変形例を示す説明図であり、本変形例に係る加飾レンズの製造方法は、このようなフィルム貼着装置１ａを好適に利用して実施することができる。
図４に示すフィルム貼着装置１ａは、上述した実施形態のフィルム貼着装置１と比べると、第一区画室３１ａと第三区画室３３ａとが連通している点などが相違し、他の構成は、上述した実施形態とほぼ同様としてある。したがって、図４において、図１と同様の構成部分については同一の符号を付して、その詳細な説明を省略する。
【００５０】
具体的には、フィルム貼着装置１ａは、容器本体２１ａの側板の高さ方向の中ほどから下方寄りの位置に、平板状の仕切り板２１１ａが設けられている。この仕切り板２１１ａの中央部に複数の貫通孔２１３が形成され、縁部には、複数の開口部２１４が形成されている。これら開口部２１４によって、第一区画室３１ａと第三区画室３３ａは、連通しており、第三区画室３３に連通する配管３３１を介して第一区画室３１ａと第三区画室３３ａ内の両方の圧力を制御することができる。このための、上述した実施形態のフィルム貼着装置１において第一区画室３１に連通する配管３１１を設けない構成としてある。
【００５１】
このようにすると、第一区画室３１ａ内の圧力と第三区画室３３ａ内の圧力とが自動的に等しくなり、フィルム素材１３をレンズ１１に貼り着ける際、フィルム素材１３によるレンズ１１への押圧力と弾性膜体４によるレンズ１１への押圧力とがより高いレベルで相殺されるので、レンズ１１の変形をより有効に、かつ、確実に回避することができる。また、各圧力を制御するための配管及び弁など（図示せず）を設ける必要が無くなり、構造を単純化することができる。
【００５２】
また、弾性膜体４ａは、弛みを有しないほぼ円形状としてあり、フィルム貼着装置１ａの停止中などにおいては、中央部が仕切り板２１１ａによって支持されるので、経時的な変形が抑制され、耐久性などを向上させることができる。
【００５３】
以上のようなフィルム貼着装置１ａを用いた、本変形例に係る加飾レンズの製造方法においては、例えば、上述した図２のフローチャートに示す各ステップ（Ｓ１〜Ｓ６）が順に行われる。また、図５は、本発明に係る加飾レンズの製造方法の実施形態の変形例における各ステップを説明する断面図である。
なお、各ステップにおいて、上述した実施形態とほぼ同様の内容については、その詳細な説明を省略する。
【００５４】
Ｓ１において、上述した実施形態とほぼ同様にして、レンズ１１及びフィルム素材１３がセットされる（図５（ａ）参照）。
【００５５】
Ｓ２において、第一区画室３１ａ、第二区画室３２及び第三区画室３３ａは、差圧発生手段（図示せず）によって各配管３２１、３３１から排気され、真空引きされる（図５（ｂ）参照）。なお、第一区画室３１ａと第三区画室３３ａは、開口部２１４によって連通しているので、配管３３１から排気されることによって、真空引きされる。
【００５６】
Ｓ３において、ヒータ２２１がＯＮされ、フィルム素材１３は、真空状態で加熱され軟化する（図５（ｃ）参照）。
【００５７】
Ｓ４において、第一区画室３１ａ及び第三区画室３３ａは、大気開放などによって配管３３１から給気され、内部の圧力を同時に、かつ、同じ圧力に上昇させる（図５（ｄ）参照）。この際、第一区画室３１ａと第三区画室３３ａは、開口部２１４によって連通しているので、第一区画室３１ａ内の圧力と第三区画室３３ａ内の圧力とが自動的に等しくなり、フィルム素材１３をレンズ１１に貼り着ける際、レンズ１１の変形をより有効に、かつ、確実に回避することができ、品質の信頼性を向上させることができる。
【００５８】
Ｓ５において、第一区画室３１ａ、第二区画室３２及び第三区画室３３ａ内の圧力を、大気開放によって大気圧に戻し、ヒータ２２１がＯＦＦされる（図５（ｅ）参照）。
【００５９】
Ｓ６において、フィルム素材１３を冷却して硬化させ（図５（ｆ）参照）、続いて、フィルム素材１３の貼着されたレンズ１１が、容器２から取り出される。
【００６０】
このように、本変形例の加飾レンズの製造方法は、上記実施形態とほぼ同様の効果を奏するとともに、フィルム素材１３をレンズ１１に貼り着ける際、レンズ１１の変形をより有効に、かつ、確実に回避することができ、また、フィルム貼着装置１ａの構造を単純化することができる。
【００６１】
以上、本発明について、好ましい実施形態を示して説明したが、本発明は、上述した実施形態にのみ限定されるものではなく、本発明の範囲で種々の変更実施が可能であることはいうまでもない。
【符号の説明】
【００６２】
１      フィルム貼着装置
４      弾性膜体
１１      レンズ
１３      フィルム素材
３１      第一区画室
３２      第二区画室
３３      第三区画室
【図１】
2014162336.tif 000003
【図２】
2014162336.tif 000004
【図３】
2014162336.tif 000005
【図４】
2014162336.tif 000006
【図５】
2014162336.tif 000007
【図６】
2014162336.tif 000008
【図７】
2014162336.tif 000009
【国際調査報告】
2014162336.tif 000010
2014162336.tif 000011